(57)【要約】【課題】共通のリソースを共有して複数の通信種別に係る複数の通信が行われる際に、通信種別に依存して不公平な通信となることのないようにする。【解決手段】各通信は、複数の通信種別のうちのいずれかに予め分類される。また、リソースを割り当てるか否かの判定のためのしきい値であって、通信種別毎に異なるものであり、かつトラフィックの値が大きくなるに応じて、通信種別毎のリソースの割り当てられ易さの差が大きくなるように、所定の数に分割されたトラフィック量範囲毎に異なる複数のしきい値が予め設定される。通信の接続要求があったとき、進行中の通信に係るトラフィックが測定される（Ｓ９）。接続要求に係る通信の通信種別と測定されたトラフィックとに応じて、しきい値が選定される（Ｓ１０，Ｓ１１，Ｓ１５）。選定されたしきい値と測定されたトラフィックに基づいて、接続要求に係る通信にリソースの割当が可能か否かが判定される（Ｓ１２，Ｓ１６）。【選択図】　　　図３
2004015342.tif 000002
【特許請求の範囲】
【請求項１】
複数の通信により共有されるリソースの中から、各通信に必要なリソースをその都度割り当てて使用する通信システムにおいて、各通信を複数の通信種別のうちのいずれかに分類し、通信種別毎にリソースの割り当てられ易さに差を付けつつ、各通信にリソースの割当が可能か否かを判定する呼受付制御方法であって、
現在割り当てられて共有されているリソースに係るトラフィックを測定し、
測定されたトラフィックの値が大きくなるに応じて、前記通信種別毎のリソースの割り当てられ易さの差を大きくするようにしたことを特徴とする呼受付制御方法。
【請求項２】
複数の通信により共有されるリソースの中から、各通信に必要なリソースをその都度割り当てて使用する通信システムにおける呼受付制御方法であって、
各通信を複数の通信種別のうちのいずれかに予め分類し、
前記リソースを割り当てるか否かの判定のためのしきい値であって、通信種別毎に異なるものであり、かつ、トラフィックの値が大きくなるに応じて、前記通信種別毎のリソースの割り当てられ易さの差が大きくなるように、所定の数に分割されたトラフィック量範囲毎に異なる複数のしきい値を予め設定し、
通信の接続要求があったとき、そのとき割り当てられて共有されているリソースに係るトラフィックを測定し、
前記接続要求に係る通信の通信種別と測定されたトラフィックとに応じて、前記複数のしきい値の１つを選定し、
選定されたしきい値と測定されたトラフィックに基づいて、前記接続要求に係る通信にリソースの割当が可能か否かを判定することを特徴とする呼受付制御方法。
【請求項３】
複数の通信により共有されるリソースの中から、各通信に必要なリソースをその都度割り当てて使用する通信システムにおける呼受付制御方法であって、
各通信を複数の通信種別のうちのいずれかに予め分類し、
通信の接続要求があったとき、そのとき割り当てられて共有されているリソースに係るトラフィックを測定し、
前記接続要求に係る通信にリソースを割り当てるか否かの判定のためのしきい値であって、測定されたトラフィックの値が大きくなるに応じて、前記通信種別毎のリソースの割り当てられ易さの差が大きくなるように、通信種別毎に異なる複数のしきい値を更新設定し、
前記接続要求に係る通信の通信種別に応じて、前記複数のしきい値の１つを選定し、
選定されたしきい値と測定されたトラフィックに基づいて、前記接続要求に係る通信にリソースの割当が可能か否かを判定することを特徴とする呼受付制御方法。
【請求項４】
通信種別が通信種別０及び通信種別１の２種類の場合、前記トラフィックＴの測定を下記式により行うことを特徴とする請求項１乃至請求項３に記載の呼受付制御方法。
Ｔ＝Ｃ０×Ｍ０＋Ｃ１×Ｍ１
ここで、Ｃ０及びＣ１は、通信種別０及び通信種別１のそれぞれの現在進行中の通信の数であり、Ｍ０及びＭ１は、それぞれ、通信種別０及び通信種別１のそれぞれの一通信に必要な回線数である。
【請求項５】
各通信が複数の通信種別のうちのいずれかに予め分類された複数の通信により共有されるリソースの中から、各通信に必要なリソースをその都度割り当てて使用する通信システムであって、
前記リソースを割り当てるか否かの判定のためのしきい値であって、通信種別毎に異なるものであり、かつ、トラフィックの値が大きくなるに応じて、前記通信種別毎のリソースの割り当てられ易さの差が大きくなるように、所定の数に分割されたトラフィック量範囲毎に異なる複数のしきい値が予め設定される記憶部と、
通信の接続要求があったとき、そのとき割り当てられて共有されているリソースに係るトラフィックを測定する測定部と、
前記接続要求に係る通信の通信種別と測定されたトラフィックとに応じて、前記記憶部に記憶された複数のしきい値の１つを選定し、選定されたしきい値と測定されたトラフィックに基づいて、前記接続要求に係る通信にリソースの割当が可能か否かを判定する呼受付制御部と、
を備えることを特徴とする通信システム。
【請求項６】
各通信が複数の通信種別のうちのいずれかに予め分類された複数の通信により共有されるリソースの中から、各通信に必要なリソースをその都度割り当てて使用する通信システムであって、
通信の接続要求があったとき、そのとき割り当てられて共有されているリソースに係るトラフィックを測定する測定部と、
前記接続要求に係る通信にリソースを割り当てるか否かの判定のためのしきい値であって、測定されたトラフィックの値が大きくなるに応じて、前記通信種別毎のリソースの割り当てられ易さの差が大きくなるように、通信種別毎に異なる複数のしきい値が更新設定される記憶部と、
前記接続要求に係る通信の通信種別に応じて、前記複数のしきい値の１つを選定し、選定されたしきい値と測定されたトラフィックに基づいて、前記接続要求に係る通信にリソースの割当が可能か否かを判定する呼受付制御部と、
を備えることを特徴とする通信システム。
【請求項７】
通信種別が通信種別０及び通信種別１の２種類の場合、前記測定部は、前記トラフィックＴの測定を下記式により行うことを特徴とする請求項５及び請求項６に記載の通信システム。
Ｔ＝Ｃ０×Ｍ０＋Ｃ１×Ｍ１
ここで、Ｃ０及びＣ１は、通信種別０及び通信種別１のそれぞれの現在進行中の通信の数であり、Ｍ０及びＭ１は、それぞれ、通信種別０及び通信種別１のそれぞれの一通信に必要な回線数である。
【発明の詳細な説明】
【０００１】
【発明の属する技術分野】
本発明は、呼受付制御方法及びその方法が適用される通信システムに関し、特に、複数の通信により共有されるリソースの中から、各通信に必要なリソースを割り当てるに際し、通信種別毎にリソースの割り当てられ易さの程度を異なるようにした呼受付制御方法及びその方法が適用される通信システムに関する。
【０００２】
【従来の技術】
一般に、多数の加入者が共通の施設を利用して通信を行う公衆通信システムにおいては、通信を開始するために回線の設定を要求した際、あるいはより高速の回線を設定するために新たな回線の設定を要求した際に、現在空いている設備のリソースの中から当該通信にリソースを割り当て、通信が終了すればこれを解放して他の通信の割当要求に備えている。その際に、要求に応えるに足るリソースがあるか否かを判定し、要求に応えるに足るリソースがないと判断された場合には、該要求を拒否して現在すでに継続中の通信の品質を守る、というのが呼受付制御である。
【０００３】
空きリソースの判定は、単純に回線が使用中か空きなのかを判定すればよい場合もあるし、パケット通信のように、時間的に変動する個々のトラフィックを統計的に多重化するようなシステムでは、瞬間的なトラフィックの変動に対してある程度余裕を残しながら平均トラフィックなどに基づいて統計的に受付判定を行わないといけない場合もある。例えば、無線基地局と移動局との間の通信に、ユーザー情報をその伝送速度に比して広帯域の無線スペクトルに拡散する符号分割多元接続（Ｃｏｄｅ　Ｄｉｖｉｓｉｏｎ　Ｍｕｌｔｉｐｌｅ　Ａｃｃｅｓｓ：ＣＤＭＡ）方式を用いる移動通信システムにおいて、加入者の収容状況を観測して新たな呼を受け付けるか否かの判定を行う方法は、特開平８−１９１４８１「呼受付制御方法および装置」や国際公開番号ＷＯ９８／３００５７「ＣＤＭＡ移動通信システムの呼受付制御方法および移動局装置」に開示されている。
【０００４】
特開平８−１９１４８１においては、基地局における干渉量の予測に基づいて新たな呼の受付を判定する方法が開示され、ＣＤＭＡシステムの上り回線では干渉量がトラフィックに相当する観測量であることが詳細に説明されている。
【０００５】
一方、国際公開番号ＷＯ９８／３００５７においては、基地局から上り干渉量や下り送信電力に関する情報を報知することにより移動局において呼受付判定を行う方法が開示され、ＣＤＭＡ下り回線においては基地局の総送信電力がトラフィックに相当する観測量であることが詳細に説明されている。いずれにしても、様々な通信システムで何らかの方法によりトラフィックを特定することが可能であり、この測定されたトラフィックに基づいて呼受付制御が適用されている。
【０００６】
ところで、近年、通信の世界では、従来の音声通信だけではなく、例えばテレビ電話やデータ伝送、あるいはインターネット接続など多様なサービスが提供されている。これらは必要とする伝送速度が異なっているだけでなく、例えば音声通信やＴＶ電話は遅延に厳しく、高々数百ミリ秒程度の遅延しか許されないのに対して、電子メールなどは遅延がそれよりも大きくてもある程度は許容されるなど、いろいろな面で性質が異なっている。従って、これらの互いに性質の異なるサービスに対する呼の受付も一律ではなく、サービス毎に受け付けられ易さに差を設けるなど、きめ細かな制御が求められる。このような観点から特許第３１７９０２１号は、複数のサービス種別のそれぞれに対して複数の判定しきい値を用意し、現在のトラフィックの測定結果とこれらのしきい値を比較しながら判定を行うことにより、サービス種別毎に適切な受付判定を行う方法を示している。
【０００７】
【発明が解決しようとする課題】
上述のような呼受付制御方法は、全体のトラフィックが高いときにおいて、使用リソースの大きい呼を受け付けられにくくして全体の呼損率を下げたり、あるいは遅延に対して寛容な通信をある程度遅延させる一方、遅延に厳しい通信を優先させて全体としての品質を上げたりすることを目的として適用されるが、かかる従来の呼受付制御方法では、使用リソースの大きさや遅延許容量の大きさを考慮に入れるまでもなく各呼を受け付けても良い低トラフィック時にも適用されてしまい、リソースに余裕があるにも拘わらず、特定の通信種別の呼損率が高くなる、あるいは、遅延が大きくなってしまうという課題があった。
【０００８】
本発明は、上述のような事情を鑑みて為されたものであり、本発明の目的は、共通のリソースを共有して複数の通信種別に係る複数の通信が行われる際に、通信種別に依存して不公平な通信となることのない呼受付制御方法及びその方法が適用される通信システムを提供することにある。
【０００９】
【課題を解決するための手段】
上記目的を達成するため、請求項１に記載の呼受付制御方法は、複数の通信により共有されるリソースの中から、各通信に必要なリソースをその都度割り当てて使用する通信システムにおいて、各通信を複数の通信種別のうちのいずれかに分類し、通信種別毎にリソースの割り当てられ易さに差を付けつつ、各通信にリソースの割当が可能か否かを判定する呼受付制御方法であって、現在割り当てられて共有されているリソースに係るトラフィックを測定し、測定されたトラフィックの値が大きくなるに応じて、前記通信種別毎のリソースの割り当てられ易さの差を大きくするようにしたことを要旨とする。
【００１０】
また、上記目的を達成するため、請求項２に記載の呼受付制御方法は、複数の通信により共有されるリソースの中から、各通信に必要なリソースをその都度割り当てて使用する通信システムにおける呼受付制御方法であって、各通信を複数の通信種別のうちのいずれかに予め分類し、前記リソースを割り当てるか否かの判定のためのしきい値であって、通信種別毎に異なるものであり、かつ、トラフィックの値が大きくなるに応じて、前記通信種別毎のリソースの割り当てられ易さの差が大きくなるように、所定の数に分割されたトラフィック量範囲毎に異なる複数のしきい値を予め設定し、通信の接続要求があったとき、そのとき割り当てられて共有されているリソースに係るトラフィックを測定し、前記接続要求に係る通信の通信種別と測定されたトラフィックとに応じて、前記複数のしきい値の１つを選定し、選定されたしきい値と測定されたトラフィックに基づいて、前記接続要求に係る通信にリソースの割当が可能か否かを判定することを要旨とする。
【００１１】
本発明によれば、リソースを割り当てるか否かの判定のためのしきい値であって、通信種別毎に異なるものであり、かつ、トラフィックの値が大きくなるに応じて、前記通信種別毎のリソースの割り当てられ易さの差が大きくなるように、所定の数に分割されたトラフィック量範囲毎に異なる複数のしきい値が予め設定される。そして、通信の接続要求があったとき、そのとき割り当てられて共有されているリソースに係るトラフィックを測定し、接続要求に係る通信の通信種別と測定されたトラフィックとに応じて、複数のしきい値の１つを選定し、選定されたしきい値と測定されたトラフィックに基づいて、接続要求に係る通信にリソースの割当が可能か否かが判定される。
【００１２】
また、上記目的を達成するため、請求項３に記載の呼受付制御方法は、複数の通信により共有されるリソースの中から、各通信に必要なリソースをその都度割り当てて使用する通信システムにおける呼受付制御方法であって、各通信を複数の通信種別のうちのいずれかに予め分類し、通信の接続要求があったとき、そのとき割り当てられて共有されているリソースに係るトラフィックを測定し、前記接続要求に係る通信にリソースを割り当てるか否かの判定のためのしきい値であって、測定されたトラフィックの値が大きくなるに応じて、前記通信種別毎のリソースの割り当てられ易さの差が大きくなるように、通信種別毎に異なる複数のしきい値を更新設定し、前記接続要求に係る通信の通信種別に応じて、前記複数のしきい値の１つを選定し、選定されたしきい値と測定されたトラフィックに基づいて、前記接続要求に係る通信にリソースの割当が可能か否かを判定することを要旨とする。
【００１３】
本発明によれば、通信の接続要求があったとき、そのとき割り当てられて共有されているリソースに係るトラフィックが測定される。そして、接続要求に係る通信にリソースを割り当てるか否かの判定のためのしきい値であって、測定されたトラフィックの値が大きくなるに応じて、通信種別毎のリソースの割り当てられ易さの差が大きくなるように、通信種別毎に異なる複数のしきい値が更新設定される。そして、接続要求に係る通信の通信種別に応じて、複数のしきい値の１つを選定し、選定されたしきい値と測定されたトラフィックに基づいて、接続要求に係る通信にリソースの割当が可能か否かが判定される。
【００１４】
請求項４に記載の呼受付制御方法は、請求項１乃至請求項３に記載の呼受付制御方法において、通信種別が通信種別０及び通信種別１の２種類の場合、前記トラフィックＴの測定を下記式により行うことを要旨とする。
【００１５】
Ｔ＝Ｃ０×Ｍ０＋Ｃ１×Ｍ１
ここで、Ｃ０及びＣ１は、通信種別０及び通信種別１のそれぞれの現在進行中の通信の数であり、Ｍ０及びＭ１は、それぞれ、通信種別０及び通信種別１のそれぞれの一通信に必要な回線数である。
【００１６】
また、上記目的を達成するため、請求項５に記載の通信システムは、各通信が複数の通信種別のうちのいずれかに予め分類された複数の通信により共有されるリソースの中から、各通信に必要なリソースをその都度割り当てて使用する通信システムであって、前記リソースを割り当てるか否かの判定のためのしきい値であって、通信種別毎に異なるものであり、かつ、トラフィックの値が大きくなるに応じて、前記通信種別毎のリソースの割り当てられ易さの差が大きくなるように、所定の数に分割されたトラフィック量範囲毎に異なる複数のしきい値が予め設定される記憶部と、通信の接続要求があったとき、そのとき割り当てられて共有されているリソースに係るトラフィックを測定する測定部と、前記接続要求に係る通信の通信種別と測定されたトラフィックとに応じて、前記記憶部に記憶された複数のしきい値の１つを選定し、選定されたしきい値と測定されたトラフィックに基づいて、前記接続要求に係る通信にリソースの割当が可能か否かを判定する呼受付制御部と、を備えることを要旨とする。
【００１７】
本発明によれば、記憶部には、リソースを割り当てるか否かの判定のためのしきい値であって、通信種別毎に異なるものであり、かつ、トラフィックの値が大きくなるに応じて、通信種別毎のリソースの割り当てられ易さの差が大きくなるように、所定の数に分割されたトラフィック量範囲毎に異なる複数のしきい値が予め設定される。測定部は、通信の接続要求があったとき、そのとき割り当てられて共有されているリソースに係るトラフィックを測定する。呼受付制御部は、接続要求に係る通信の通信種別と測定されたトラフィックとに応じて、記憶部に記憶された複数のしきい値の１つを選定し、選定されたしきい値と測定されたトラフィックに基づいて、接続要求に係る通信にリソースの割当が可能か否かを判定する。
【００１８】
また、上記目的を達成するため、請求項６に記載の通信システムは、各通信が複数の通信種別のうちのいずれかに予め分類された複数の通信により共有されるリソースの中から、各通信に必要なリソースをその都度割り当てて使用する通信システムであって、通信の接続要求があったとき、そのとき割り当てられて共有されているリソースに係るトラフィックを測定する測定部と、前記接続要求に係る通信にリソースを割り当てるか否かの判定のためのしきい値であって、測定されたトラフィックの値が大きくなるに応じて、前記通信種別毎のリソースの割り当てられ易さの差が大きくなるように、通信種別毎に異なる複数のしきい値が設定される記憶部と、前記接続要求に係る通信の通信種別に応じて、前記複数のしきい値の１つを選定し、選定されたしきい値と測定されたトラフィックに基づいて、前記接続要求に係る通信にリソースの割当が可能か否かを判定する呼受付制御部と、を備えることを要旨とする。
【００１９】
本発明によれば、測定部は、通信の接続要求があったとき、そのとき割り当てられて共有されているリソースに係るトラフィックを測定する。記憶部には、接続要求に係る通信にリソースを割り当てるか否かの判定のためのしきい値であって、測定されたトラフィックの値が大きくなるに応じて、通信種別毎のリソースの割り当てられ易さの差が大きくなるように、通信種別毎に異なる複数のしきい値が更新設定される。呼受付制御部は、接続要求に係る通信の通信種別に応じて、複数のしきい値の１つを選定し、選定されたしきい値と測定されたトラフィックに基づいて、接続要求に係る通信にリソースの割当が可能か否かを判定する。
【００２０】
請求項７に記載の通信システムは、請求項５及び請求項６に記載の通信システムにおいて、通信種別が通信種別０及び通信種別１の２種類の場合、前記測定部は、前記トラフィックＴの測定を下記式により行うことを要旨とする。
【００２１】
Ｔ＝Ｃ０×Ｍ０＋Ｃ１×Ｍ１
ここで、Ｃ０及びＣ１は、通信種別０及び通信種別１のそれぞれの現在進行中の通信の数であり、Ｍ０及びＭ１は、それぞれ、通信種別０及び通信種別１のそれぞれの一通信に必要な回線数である。
【００２２】
【発明の実施の形態】
以下、図面に基づいて、本発明における呼受付制御方法及びその方法が適用される通信システムの実施形態について詳細に説明する。
図１は、本発明の呼受付制御方法が実現される通信システムの一実施形態の構成を示す図である。
【００２３】
図１に示すように、通信システム１は、通信設備１０と、呼処理制御装置２０と、呼受付制御装置３０と、通信設備制御装置４０と、メモリ５０と、バス６０とで構成される。通信設備１０は、複数の通信により共有使用される設備である。呼処理制御装置２０は、呼の設定／解放などを管理し、通信設備１０の割当／解放などを通信設備制御装置４０に対して指示する。呼受付制御装置３０は、適宜、メモリ５０上から情報を読み出して、呼を受け付けるか否かの判定を行う。通信設備制御装置４０は、呼処理制御装置２０からの指令に基づいて通信設備１０の割当／解放などを行う。呼処理制御装置２０、呼受付制御装置３０、通信設備制御装置４０、メモリ５０は、互いにバス６０を介して接続されており、互いに通信を行うことができる。
【００２４】
図２は、メモリ５０に格納された、通信種別及びトータルトラフィックＴに応じた、呼を受け付けるか否かの判定のためのしきい値の例を示す図である。例えば、通信種別０が通信種別１に対して必要とする伝送速度が大きい及び／又は遅延の許容度が小さい場合、それぞれのしきい値の関係は、Ｎｔｈｒ０ｉ＜Ｎｔｈｒ１ｉ（∀ｉ，　ｉ＝１　ｔｏ　５）である。即ち、通信種別１に分類される呼の方が受け付けられ易くしている。ここで、本願発明の特徴は、更に、（Ｎｔｈｒ０１／Ｎｔｈｒ１１）＞（Ｎｔｈｒ０２／Ｎｔｈｒ１２）＞（Ｎｔｈｒ０３／Ｎｔｈｒ１３）＞（Ｎｔｈｒ０４／Ｎｔｈｒ１４）＞（Ｎｔｈｒ０５／Ｎｔｈｒ１５）という関係を持たせていることにある。即ち、計測されるトータルトラフィックＴが大きくなるにつれて、通信種別０に係る呼の受け付けられ易さを通信種別１の呼に対して小さくしている。逆の味方をすれば、計測されるトータルトラフィックＴが小さくなるにつれて、通信種別０に係る呼と通信種別１に係る呼の受け付けられ易さの差が小さくなっていくようにする。このようにすることにより、計測されるトータルトラフィックＴが小さいときにまで、必要とする伝送速度が大きい及び／又は遅延の許容度が小さい通信種別０に係る通信が過度に受け付けられないという不合理を改善することができる。
【００２５】
図２においては、通信種別を“０”と“１”の２種類とし、かつトータルトラフィックＴを５つの範囲に分け、これにより全部で１０個のしきい値を設けている。例えば、通信種別０に係る呼の受付判定を行うときに、トータルトラフィックＴの測定結果がＴ２以上Ｔ３未満であった場合には、しきい値としてＮｔｈｒ０３が読み出されることになる。
尚、本実施形態においては、通信種別を“０”と“１”の２種類とし、かつトータルトラフィックＴを５つの範囲に分けたが、これに限られることはない。
【００２６】
図３は、本発明の呼受付制御方法の一実施形態の処理手順を示すフローチャートである。
本実施形態においては、図２の対応させて、通信種別を“０”と“１”の２種類としている。また、通信種別０及び通信種別１に係る一通信が行われるには、それぞれＭ０回線及びＭ１回線が必要とされる場合の例である。更に、トータルトラフィックの値としては、使用中の全回線数を採用し、そしてこれがしきい値未満であれば受付可と判定している。尚、トータルトラフィックの値としては使用中の全回線数を採用することが最も典型的ではあるが、通信種別の数と同様、トータルトラフィックの値として他の値を採用することも可能である。また、トータルトラフィックとしきい値を比較するという判定方法も、これに限られることなく、他の判定方法も採用可能である。
【００２７】
以下、図３に基づいて処理手順を説明する。
最初に、図１に示した呼処理制御装置２０は、通信を切断する要求があるか否かを判断する（ステップ１）。通信を切断する要求がある場合（肯定判定）にはステップ２に進み、通信を切断する要求がない場合（否定判定）にはステップ７に進む。
【００２８】
ステップ２においては、呼処理制御装置２０は、切断しようとする通信の通信種別を判定する。呼処理制御装置２０は、通信種別が“０”の場合は、その通信の呼の解放処理を行い（ステップ３）、変数Ｃ０を１だけ減じ（ステップ４）、制御をステップ１に戻す。一方、呼処理制御装置２０は、通信種別が“１”の場合は、その通信の呼の解放処理を行い（ステップ５）、変数Ｃ１を１だけ減じ（ステップ６）、制御をステップ１に戻す。ここで、変数Ｃ０及びＣ１は、通信種別０及び通信種別１に係るそれぞれの通信についての、現時点で行われている通信の数を格納する変数であり、図１に示すメモリ５０に格納されている。
【００２９】
ステップ７においては、呼受付制御装置３０は、接続要求があるか否かを判定する。接続要求がない場合（否定判定）にはステップ１に戻る。一方、接続要求がある場合には、呼受付制御装置３０は、現在行われている通信種別０及び通信種別１に係るそれぞれの通信の数を格納する変数Ｃ０及びＣ１をメモリ５０から読み出し（ステップ８）、現時点でのトータルトラフィックＴを式Ｔ＝Ｃ０×Ｍ０＋Ｃ１×Ｍ１に基づき算出する（ステップ９）。次に、呼受付制御装置３０は、当該接続要求に係る通信の通信種別を判別する（ステップ１０）。
【００３０】
ステップ１０の判別の結果、通信種別が“０”であった場合には、呼受付制御装置３０は、通信種別０に対応するものであってステップ９において算出したトータルトラフィックＴに対応するしきい値Ｎｔｈｒ０ｉをメモリ５０から読み出す（ステップ１１）。次に、呼受付制御装置３０は、算出したトータルトラフィックＴが読み出したしきい値Ｎｔｈｒ０ｉ未満である（Ｔ＜Ｎｔｈｒ０ｉ）か否かを判定する（ステップ１２）。トータルトラフィックＴがしきい値Ｎｔｈｒ０ｉ以上の場合（否定判定）、呼受付制御装置３０は、当該接続要求の受付を拒否し（ステップ１９）、制御をステップ１に戻す。一方、トータルトラフィックＴがしきい値Ｎｔｈｒ０ｉ未満の場合（肯定判定）、呼受付制御装置３０は、当該接続要求の受付処理を行い（ステップ１３）、変数Ｃ０を１だけ増加させ（ステップ１４）、制御をステップ１に戻す。
【００３１】
ステップ１０の判別の結果、通信種別が“１”であった場合には、呼受付制御装置３０は、通信種別１に対応するものであってステップ９において算出したトータルトラフィックＴに対応するしきい値Ｎｔｈｒ１ｉをメモリ５０から読み出す（ステップ１５）。次に、呼受付制御装置３０は、算出したトータルトラフィックＴが読み出したしきい値Ｎｔｈｒ１ｉ未満である（Ｔ＜Ｎｔｈｒ１ｉ）か否かを判定する（ステップ１６）。トータルトラフィックＴがしきい値Ｎｔｈｒ１ｉ以上の場合（否定判定）、呼受付制御装置３０は、当該接続要求の受付を拒否し（ステップ１９）、制御をステップ１に戻す。一方、トータルトラフィックＴがしきい値Ｎｔｈｒ１ｉ未満の場合（肯定判定）、呼受付制御装置３０は、当該接続要求の受付処理を行い（ステップ１７）、変数Ｃ１を１だけ増加させ（ステップ１８）、制御をステップ１に戻す。
【００３２】
その後、呼処理制御装置２０は、呼受付制御装置３０の処理結果に応じて、呼の設定／解放などを管理し、通信設備１０の割当／解放などを通信設備制御装置４０に対して指示する。通信設備制御装置４０は、呼処理制御装置２０からの指令に基づいて通信設備１０の割当／解放などを行う。
【００３３】
（変形例）
図４は、本発明の呼受付制御方法が実現される通信システムの一実施形態の変形例の構成を示す図である。また、図５は、図４に示した変形例に対応した、メモリ５０に格納されたしきい値の例を示す図である。また、図６は、図４に示した変形例に対応した処理手順を示すフローチャートである。
【００３４】
この変形例においては、図５に示す通り、メモリ５０には、従来と同様、２種類の通信種別に応じたそれぞれのしきい値が格納される２つの領域しか確保されていない。一方、図４に示す通り、この変形例に係る通信システム１ａは、通信システム１に対して受付しきい値制御装置７０が加わる構成となっている。
【００３５】
この変形例においては、ステップ８及びステップ９の処理を受付しきい値制御装置７０が行っている。即ち、受付しきい値制御装置７０は、現在行われている通信種別０及び通信種別１に係るそれぞれの通信の数を格納する変数Ｃ０及びＣ１をメモリ５０から読み出し（ステップ８）、現時点でのトータルトラフィックＴを式Ｔ＝Ｃ０×Ｍ０＋Ｃ１×Ｍ１に基づき算出する（ステップ９）。そして、受付しきい値制御装置７０は、算出したトータルトラフィックＴに対応したしきい値Ｎｔｈｒ０及びＮｔｈｒ１をメモリ５０に格納する。次に、呼受付制御装置３０は、当該接続要求に係る通信の通信種別を判別する（ステップ１０）。
【００３６】
ステップ１０の判別の結果、通信種別が“０”であった場合には、呼受付制御装置３０は、通信種別０に対応するしきい値Ｎｔｈｒ０をメモリ５０から読み出す（ステップ１１ａ）。次に、呼受付制御装置３０は、トータルトラフィックＴが読み出したしきい値Ｎｔｈｒ０未満である（Ｔ＜Ｎｔｈｒ０）か否かを判定する（ステップ１２ａ）。
【００３７】
ステップ１０の判別の結果、通信種別が“１”であった場合には、呼受付制御装置３０は、通信種別１に対応するしきい値Ｎｔｈｒ１をメモリ５０から読み出す（ステップ１５ａ）。次に、呼受付制御装置３０は、トータルトラフィックＴが読み出したしきい値Ｎｔｈｒ１未満である（Ｔ＜Ｎｔｈｒ１）か否かを判定する（ステップ１６ａ）。
【００３８】
その他の処理手順は図３に示した処理手順と同様である。この変形例によれば、メモリ５０の使用領域を節約することできるという利点がある。
【００３９】
【発明の効果】
以上説明したように本発明によれば、複数の通信により共有されるリソースの中から、各通信に必要なリソースを割り当てるに際し、通信種別毎にリソースの割り当てられ易さの程度を異なるようにした通信において、リソースの効率的利用を図りつつも通信種別によって不公平感が増大することがなくなる。
【００４０】
ここで、測定されたトラフィックの値が大きくなるに応じて、通信種別毎のリソースの割り当てられ易さの差を大きくする構成としては以下の二態様が考えられる。
【００４１】
第１の態様は、リソースを割り当てるか否かの判定のためのしきい値であって、通信種別毎に異なるものであり、かつ、トラフィックの値が大きくなるに応じて、通信種別毎のリソースの割り当てられ易さの差が大きくなるように、所定の数に分割されたトラフィック量範囲毎に異なる複数のしきい値を予め設定しておき、選定されたしきい値と測定されたトラフィックに基づき、接続要求に係る通信にリソースの割当が可能か否かを判定する態様であり、この態様によれば、後述の第２の態様と比較して記憶内容を書き替える手間が省ける。
【００４２】
また、第２の態様は、通信の接続要求があったとき、そのとき割り当てられて共有されているリソースに係るトラフィックを測定し、接続要求に係る通信にリソースを割り当てるか否かの判定のためのしきい値であって、測定されたトラフィックの値が大きくなるに応じて、通信種別毎のリソースの割り当てられ易さの差が大きくなるように、通信種別毎に異なる複数のしきい値を更新設定し、選定されたしきい値と測定されたトラフィックとに基づいて、接続要求に係る通信にリソースの割当が可能か否かを判定する態様であり、この態様によれば、前述の第１の態様と比較して記憶領域が削減できる。
【図面の簡単な説明】
【図１】本発明の呼受付制御方法が実現される通信システムの一実施形態の構成を示す図である。
【図２】メモリに格納された、通信種別及びトータルトラフィックＴに応じた、呼を受け付けるか否かの判定のためのしきい値の例を示す図である。
【図３】本発明の呼受付制御方法の一実施形態の処理手順を示すフローチャートである。
【図４】本発明の呼受付制御方法が実現される通信システムの一実施形態の変形例の構成を示す図である。
【図５】図４に示した変形例に対応した、メモリに格納されたしきい値の例を示す図である。
【図６】図４に示した変形例に対応した処理手順を示すフローチャートである。
【符号の説明】
１、１ａ　通信システム
１０　通信設備
２０　呼処理制御装置
３０　呼受付制御装置
４０　通信設備制御装置
５０　メモリ
６０　バス
７０　受付しきい値制御装置
【図１】
2004015342.tif 000003
【図２】
2004015342.tif 000004
【図３】
2004015342.tif 000005
【図４】
2004015342.tif 000006
【図５】
2004015342.tif 000007
【図６】
2004015342.tif 000008